(57)【要約】  【課題】自動開き傘を廃棄のために分解する際に、金属部品と非金属部品とを容易に分別廃棄することを可能にする。  【解決手段】樹脂製の下ろくろ１０に、複数の支え骨収容溝を周縁に放射状に形成したフランジ状の支え骨枢支部３０を設け、この支え骨枢支部３０の複数の支え骨収容溝のすべてに臨む金属製枢支リング１３を、支え骨枢支部３０の下面側から同軸的にかつ取外し可能に嵌着し、金属製の支え骨１２のＵ字状に形成された根元部１２ａを、支え骨収容溝内において枢支リング１３に取外し可能に枢支させる。【選択図】          図９
2006325899.tif 000002
【特許請求の範囲】
【請求項１】
支柱と、該支柱の先端部に嵌装固定された上ろくろと、該上ろくろに根元部を枢着された複数の親骨と、該親骨に沿って張架されたシートと、前記支柱に摺動自在に嵌装された中ろくろと、該中ろくろに根元部を枢着されかつ先端部を前記親骨の中間部に枢着された複数の受け骨と、前記中ろくろの下方において前記支柱に摺動自在に嵌装された下ろくろと、該下ろくろに根元部を枢着されかつ先端部を前記受け骨の中間部に枢着された複数の支え骨と、前記中ろくろと前記下ろくろとの間に縮装されたコイルスプリングと、該支柱の根元部に固定された手元と、前記支柱の外周面から突出する方向に付勢された態様で前記支柱に出没自在に設けられ、突出位置において前記下ろくろを前記手元に近接した位置に係止する留め金と、該留め金を前記支柱内に没入させることにより前記下ろくろの係止を解除して前記傘を前記コイルスプリングの弾発力で開かせるための押しボタンとを備えてなる自動開き傘において、
非金属製の前記下ろくろが、周縁に複数の支え骨収容溝を放射状に形成したフランジ状の支え骨枢支部を備え、金属製枢支リングが、前記支え骨枢支部の複数の支え骨収容溝のすべてに臨むように、該支え骨枢支部の下面に同軸的にかつ取外し可能に嵌着され、金属製の前記支え骨の鉤状に形成された根元部が、前記支え骨収容溝内において前記枢支リングに取外し可能に枢支されてなることを特徴とする分別廃棄を容易にした自動開き傘。
【請求項２】
前記支え骨枢支部が、前記枢支リングを取り外し可能に嵌着させる溝を下面に備えてなることを特徴とする請求項１記載の自動開き傘。
【請求項３】
非金属製の前記中ろくろは、前記コイルスプリングが外周面上に巻装される円筒体を下部に同軸的に備え、前記下ろくろが、前記中ろくろの前記円筒体に巻装された前記コイルスプリングを内部に収容するための空洞を上方に開口させたスプリング収容筒を備え、該スプリング収容筒の上端に前記支え骨枢支部が設けられてなることを特徴とする請求項１または２記載の自動開き傘。
【請求項４】
前記下ろくろのスプリング収容筒が、前記支え骨枢支部を備えた環状体の内周に下方から螺着されてなることを特徴とする請求項３記載の自動開き傘。
【請求項５】
前記下ろくろのスプリング収容筒が、前記支え骨枢支部を備えた環状体の内周に上方から挿通嵌着されてなることを特徴とする請求項３記載の自動開き傘。
【請求項６】
前記下ろくろのスプリング収容筒が前記支え骨枢支部と一体に形成されてなることを特徴とする請求項３記載の自動開き傘。
【請求項７】
支柱と、該支柱の先端部に嵌装固定された上ろくろと、該上ろくろに根元部を枢着された複数の親骨と、該親骨に沿って張架されたシートと、前記支柱に摺動自在に嵌装された中ろくろと、該中ろくろに根元部を枢着されかつ先端部を前記親骨の中間部に枢着された複数の受け骨と、前記中ろくろの下方において前記支柱に摺動自在に嵌装された下ろくろと、該下ろくろに根元部を枢着されかつ先端部を前記受け骨の中間部に枢着された複数の支え骨と、前記中ろくろと前記下ろくろとの間に縮装されたコイルスプリングと、該支柱の根元部に固定された手元と、前記支柱の外周面から突出する方向に付勢された態様で前記支柱に出没自在に設けられ、突出位置において前記下ろくろを前記手元に近接した位置に係止する留め金と、該留め金を前記支柱内に没入させることにより前記下ろくろの係止を解除して前記傘を前記コイルスプリングの弾発力で開かせるための押しボタンとを備えてなる自動開き傘において、
前記中ろくろが、周縁に複数の受け骨収容溝を放射状に備えて受け骨枢支部を構成する非金属製環状体と、該環状体の内周に螺着されて前記支柱に摺動自在に嵌着された非金属製支持筒とを有し、
該支持筒は、前記コイルスプリングが外周面上に巻装される下部円筒体と、該下部円筒体の上端に設けられて前記コイルスプリングの上端を受けるフランジと、該フランジから上方に延びる上部円筒体とを同軸的にかつ一体的に備え、
該支持筒の上部円筒体が前記環状体に対し、前記フランジの上面を前記環状体の下面に接触させた態様で螺着されてなることを特徴とする分別廃棄を容易にした自動開き傘。
【請求項８】
金属製の前記受け骨の根元部の両側に枢軸となる突軸が形成され、前記受け骨枢支部を構成する環状体に、前記受け骨収容溝とほぼ直交する突軸枢支溝が前記受け骨収容溝とともに前記環状体の下面に開口する態様で形成され、前記受け骨の根元部が前記受け骨収容溝内に収容された後の、前記環状体への前記支持筒の上部円筒体の螺着により、該受け骨収容溝および前記突軸枢支溝が前記フランジにて蓋をされるように構成されてなることを特徴とする請求項７記載の自動開き傘。
【請求項９】
前記支持筒の上部円筒体が、前記環状体に螺着された状態で、該環状体の上端から軸線方向に所定距離上方へ突出してなることを特徴とする請求項８記載の自動開き傘。
【請求項１０】
支柱と、該支柱の先端部に嵌装固定された上ろくろと、該上ろくろに根元部を枢着された複数の親骨と、該親骨に沿って張架されたシートと、前記支柱に摺動自在に嵌装された中ろくろと、該中ろくろに根元部を枢着されかつ先端部を前記親骨の中間部に枢着された複数の受け骨と、前記中ろくろの下方において前記支柱に摺動自在に嵌装された下ろくろと、該下ろくろに根元部を枢着されかつ先端部を前記受け骨の中間部に枢着された複数の支え骨と、前記中ろくろと前記下ろくろとの間に縮装されたコイルスプリングと、該支柱の根元部に固定された手元と、前記支柱の外周面から突出する方向に付勢された態様で前記支柱に出没自在に設けられ、突出位置において前記下ろくろを前記手元に近接した位置に係止する留め金と、該留め金を前記支柱内に没入させることにより前記下ろくろの係止を解除して前記傘を前記コイルスプリングの弾発力で開かせるための押しボタンとを備えてなる自動開き傘において、
金属製の前記支柱が上ろくろ位置決め穴を備え、非金属製の前記上ろくろが、周縁に複数の親骨収容溝を放射状に備えたフランジ状の親骨枢支部と、前記上ろくろ位置決め穴に係入し得る係合突起を内周面に備えて前記親骨枢支部に同軸的に連接された円筒状の、前記支柱に対する係合部とを有し、
該係合部の係合突起を前記支柱の上ろくろ位置決め穴に係入させた態様で前記支柱に嵌装された前記上ろくろが、前記係合部の外周面に取外し可能に上方から被冠される上ろくろ固定部材により前記支柱に固定されることを特徴とする分別廃棄を容易にした自動開き傘。
【請求項１１】
前記上ろくろ固定部材が、前記係合部の外周に螺着されることを特徴とする請求項１０記載の自動開き傘。
【請求項１２】
前記係合部の外周に螺着される上ろくろ固定部材が石突きからなることを特徴とする請求項１１記載の自動開き傘。
【請求項１３】
前記上ろくろの係合部が、前記支柱の軸線と平行な方向に延びるヒンジ線を有するヒンジ部を介して互いに連結された一対の半円筒体からなり、該一対の半円筒体が前記ヒンジ線に沿って折り曲げられて円筒状に形成されることを特徴とする請求項１０から１２のいずれか１項記載の自動開き傘。
【請求項１４】
前記一対の半円筒体のうちの一方の半円筒体が前記親骨枢支部に一体に固定され、他方の半円筒体の内周面に前記係合突起が形成されてなることを特徴とする請求項１３記載の自動開き傘。
【請求項１５】
金属製の前記親骨の根元部の両側に枢軸となる突軸が形成され、前記親骨枢支部に、前記親骨収容溝とほぼ直交する突軸枢支溝が前記親骨収容溝とともに前記親骨枢支部の上面に開口する態様で形成され、前記親骨の根元部が前記親骨収容溝内に収容された後の、前記係合部に対するカラー部材および前記シートを介した前記石突きの螺着により、前記親骨収容溝および前記突軸枢支溝が前記カラー部材にて蓋をされるように構成されてなることを特徴とする請求項１２記載の自動開き傘。
【請求項１６】
前記支柱の、該支柱に固定された前記上ろくろの下面に近接した位置に、該支柱の外周面から突出する上ろくろ係止部材が取外し可能に取り付けられてなることを特徴とする請求項１０〜１５のいずれか１項記載の自動開き傘。
【発明の詳細な説明】
【技術分野】
【０００１】
本発明は自動開き傘に関し、特に製作時における組立てが容易であるのみでなく、壊れた傘を廃棄する場合に、金属製部材と非金属製部材とを容易に分別して廃棄することができる自動開き傘に関するものである。
【背景技術】
【０００２】
近年、使用上の便利さから、自動開き傘（ジャンプ傘とも言う）が多数販売されるようになってきた。典型的な自動開き傘の構成は、手開き式傘と同様に、支柱の先端に固定されたた上ろくろと、支柱に摺動自在に嵌着されてその摺動動作により傘を開閉する下ろくろとに加えて、上ろくろと下ろくろとの間において支柱に摺動自在に嵌着された中ろくろを備えており、手開き式傘では下ろくろに枢支されている受け骨の根元部が上記中ろくろに枢支され、下ろくろには、受け骨の中間部に先端を枢着された細く短い支え骨の根元部が枢支されるようになっている。中ろくろと下ろくろとの間には強力なコイルスプリングが縮装され、支柱の手元の近接した位置には、支柱の外周面から突出する方向に付勢された態様で出没自在な留め金が設けられているとともに、この留め金を支柱内に没入させるための押しボタンが留め金と手元との間に設けられている。
【０００３】
そして、下ろくろを手に持って手元側に引き寄せることにより傘をつぼめると、支え骨および受け骨を介して中ろくろが下ろくろに接近せしめられることにより、コイルスプリングが圧縮され、その状態で傘は、下ろくろが留め金によって手元の近接した位置に係止された閉状態となる。
【０００４】
この閉状態で押しボタンを押圧すると、留め金による係止を解除された下ろくろがコイルスプリングの弾発力で中ろくろとともに勢い良く支柱上を上ろくろに向かって摺動して傘が開く。
【０００５】
ところで、通常の傘は、手開き式または自動開き式を問わず、金属製部材（支柱、親骨，受け骨、支え骨等）と、一般に合成樹脂（以下単に「樹脂」と呼ぶ）からなる非金属製部材（手元、上ろくろ、下ろくろ、中ろくろ、石突き等）から構成されているが、各部材は恒久的にあるいは分解が極めて困難な状態で連結されている。すなわち、樹脂製の上ろくろは留め釘によって金属製の支柱に固定され、また樹脂製の上ろくろと金属製親骨との連結、ならびに樹脂製の下ろくろまたは中ろくろと金属製受け骨または支え骨との連結は、傘骨の根元部に形成した孔に順次挿通した針金（抱き針）をろくろの外周の溝に巻き付け、かつこの針金の先端を捩り合わせることにより行なっていた。
【０００６】
したがって、従来の傘は、製作時における組立てに手間がかかるのみでなく、壊れた傘を廃棄する場合に、シートは比較的容易に外せても、金属製部材と非金属製部材とを分離して分別廃棄することが困難なため、貴重な資源のリサイクルを困難にしていた。最近、特に環境汚染問題がクローズアップされている中、傘の分別廃棄を義務付ける地方自治体も多くなってきたために、この分別廃棄を容易にすることが課題となっている。
【０００７】
そこで、本出願人は先に、組立てが容易であるとともに、廃棄時に金属製部材と樹脂等の非金属製部材とを容易に分別することが可能な手開き式の傘を提案した（特許文献１）。
【特許文献１】特開２００１−２７５７２７号公報
【発明の開示】
【発明が解決しようとする課題】
【０００８】
ところで、手開き式の傘においては、金属製支柱に固定された樹脂製の上ろくろおよび手元を支柱から容易に取り外せること、ならびに金属製の親骨および受け骨の根元部を樹脂製の上ろくろおよび下ろくろから容易に取り外せることが可能な構成になってさえいれば、金属製部材と非金属製部材との分別廃棄が容易であるが、自動開き傘においては、前述のように中ろくろと下ろくろとの間に強力なコイルスプリングが縮装されているため、このコイルスプリングをその弾発力が完全に消勢された状態で分解できるようにしなければ、分解が困難であるのみでなく危険を伴うものである。
【０００９】
また、自動開き傘においては、傘が閉じている状態では、留め金によって支柱に係止されている下ろくろと中ろくろとの間で圧縮された状態にあるコイルスプリングのばね付勢力が中ろくろから受け骨を介して親骨に伝達され、親骨には常に開方向の力が作用している。したがって、廃棄時の分解に際して、万一傘が閉じている状態で支柱に対する上ろくろの係合状態を解除した場合には、上ろくろがコイルスプリングの弾発力によって急激に手元側に引き寄せられる態様で傘が急激に開いてしまって危険を伴うおそれがあるので、その予防手段をも講じておかなければならない。
【００１０】
上述の事情に鑑み、本発明は、分別廃棄のための分解に伴う自動開き傘特有の問題点を効果的に解決することを課題とするものである。なお、以下の説明において、上部または上方は傘の石突き側を意味し、下部または下方は傘の手元側を意味するものとする。
【課題を解決するための手段】
【００１１】
本願第１の発明は、前述のような構成を有する自動開き傘の下ろくろにおける支え骨の枢支構造に関する発明であって、
非金属製の下ろくろが、周縁に複数の支え骨収容溝を放射状に形成したフランジ状の支え骨枢支部を備え、金属製枢支リングが、支え骨枢支部の複数の支え骨収容溝のすべてに臨むように、支え骨枢支部の下面に同軸的にかつ取外し可能に嵌着され、金属製の支え骨の鉤状に形成された根元部が、上記支え骨収容溝内において上記枢支リングに取外し可能に枢支されてなることを特徴とするものである。
【００１２】
上記支え骨枢支部は、上記枢支リングを取外し可能に嵌着させる溝を下面に備えてなることが好ましい。
【００１３】
また、非金属製の中ろくろが、傘を自動的に開くエネルギーが貯えられるコイルスプリングが外周面上に巻装される円筒体を下部に同軸的に備え、下ろくろが、中ろくろの上記円筒体に巻装されたコイルスプリングを内部に収容するための空洞を上方に開口させたスプリング収容筒を備え、このスプリング収容筒の上端に上記支え骨枢支部が設けられた構成とすることができる。
【００１４】
上記下ろくろのスプリング収容筒は、支え骨枢支部を備えた環状体の内周に下方から螺着されるものであっても、あるいは、支え骨枢支部を備えた環状体の内周に上方から挿通嵌着されるものであってもよい。さらには、上記下ろくろのスプリング収容筒が支え骨枢支部と一体に形成されたものであってもよい。
【００１５】
本願第２の発明は、前述のような構成を有する自動開き傘における中ろくろにおける受け骨の枢支構造に関する発明であって、
上記中ろくろが、周縁に複数の受け骨収容溝を放射状に備えて受け骨枢支部を構成する非金属製環状体と、この環状体の内周に螺着されて支柱に摺動自在に嵌着された非金属製支持筒とを有し、
この支持筒は、上記コイルスプリングが外周面上に巻装される下部円筒体と、この下部円筒体の上端に設けられてコイルスプリングの上端を受けるフランジと、このフランジから上方に延びる上部円筒体とを同軸的にかつ一体的に備え、
この支持筒の上部円筒体が上記環状体に対し、上記フランジの上面を上記環状体の下面に接触させた態様で螺着されてなることを特徴とするものである。
【００１６】
この場合、金属製の受け骨の根元部の両側に枢軸となる突軸が形成され、上記受け骨枢支部を構成する環状体に、受け骨収容溝とほぼ直交する突軸枢支溝が受け骨収容溝とともに上記環状体の下面に開口する態様で形成され、上記受け骨の根元部が上記受け骨収容内に収容された後の、上記環状体への上記支持筒の上部円筒体の螺着により、受け骨収容溝および前記突軸枢支溝が上記フランジにて蓋をされるように構成されてなることが好ましい。
【００１７】
上記上部円筒体は、上記環状体に螺着された状態で、この環状体の上端から軸線方向に所定距離上方へ突出してなることが好ましい。
【００１８】
本願第３の発明は、前述のような構成を有する自動開き傘における支柱に対する上ろくろの固定構造ならびに上ろくろにおける親骨の枢支構造に関する発明であって、
金属製の支柱が上ろくろ位置決め穴を備え、非金属製の上ろくろが、周縁に複数の親骨収容溝を放射状に備えたフランジ状の親骨枢支部と、上記上ろくろ位置決め穴に係入し得る係合突起を内周面に備えて上記親骨枢支部に同軸的に連接された円筒状の、支柱に対する係合部とを有し、
上記係合突起を支柱の上ろくろ位置決め穴に係入させた態様で支柱に嵌装された上ろくろが、その係合部の外周面に着脱可能に上方から被冠される上ろくろ固定部材により支柱に固定されることを特徴とするものである。
【００１９】
上記上ろくろ固定部材は、上記係合部の外周面に螺着されることが好ましく、さらにこの上ろくろ固定部材が石突きからなることがより好ましい。
【００２０】
また、上記上ろくろの係合部が、支柱の軸線と平行な方向に延びるヒンジ線を有するヒンジ部を介して互いに連結された一対の半円筒体からなり、これら一対の半円筒体が上記ヒンジ線に沿って折り曲げられて円筒状に形成されることが好ましい。
【００２１】
その場合、上記一対の半円筒体のうちの一方の半円筒体が上記親骨枢支部に一体に固定され、他方の半円筒体の内周面に上記係合突起が形成されてなることが好ましい。
【００２２】
また、金属製の親骨の根元部の両側に枢軸となる突軸が形成され、親骨枢支部に、上記親骨収容溝とほぼ直交する突軸枢支溝が親骨収容溝とともに親骨枢支部の上面に開口する態様で形成され、親骨の根元部が親骨収容溝内に収容された後の、前記係合部に対するカラー部材およびシートを介した石突きの螺着により、親骨収容溝および突軸枢支溝が上記カラー部材にて蓋をされるように構成されてなることが好ましい。
【００２３】
さらに、支柱には、この支柱に固定された上ろくろの下面に近接した位置に、支柱の外周面から突出する上ろくろ係止部材が取外し可能に取り付けられてなることが好ましい。
【発明の効果】
【００２４】
本願第１の発明によれば、下ろくろの支え骨枢支部の支え骨収容溝のすべてに臨むように支え骨枢支部の下面に嵌着された枢支リングに、鉤状に形成された支え骨の根元部を引っ掛けるだけで支え骨の根元部を下ろくろに枢支させることができる。そして、自動開き傘においては、下ろくろと中ろくろとの間に縮装されているコイルスプリングの付勢力が、中ろくろおよび受け骨を介して常に支え骨を先端側に引っ張るように作用しているので、このような単に支え骨の根元部を枢支リングに引っ掛けただけの簡単な枢支構造であっても、支え骨の根元部が枢支リングから外れるおそれはない。したがって、コイルスプリングの付勢力が支え骨に作用していない状態であれば、下ろくろに対する支え骨の根元部の取付け、取外しが極めて容易であり、枢支リングが支え骨枢支部から取外し可能であることと相俟って、金属部材と非金属部材との分別廃棄が容易である。
【００２５】
本願第２の発明によれば、中ろくろが、周縁に複数の受け骨収容溝を放射状に備えて受け骨枢支部を構成する環状体に対し、コイルスプリングの上端を受けるフランジを備えて支柱に摺動自在に嵌着された支持筒が螺着されているので、分解時に支持筒を螺着が外れる方向に支持筒を回転させることにより、環状体と支持筒とを分離させることができる。したがって、この分離状態において、受け骨の根元部が受け骨枢支部を構成する環状体から外れるようにしておけば、中ろくろからの受け骨の根元部の取外しが容易となる。
【００２６】
そして、受け骨の根元部の両側に枢軸となる突軸を形成するとともに、受け骨枢支部を構成する環状体に、受け骨収容溝とほぼ直交する突軸枢支溝を受け骨収容溝とともに上記環状体の下面に開口する態様で形成し、上記受け骨の根元部を受け骨収容内に収容した後、上記環状体への上記支持筒の上部円筒体の螺着によって、受け骨収容溝および前記突軸枢支溝が上記支持筒のフランジにて蓋をされるように構成することにより、中ろくろに対する受け骨の取付け、取外しが極めて容易となる利点がある。
【００２７】
また、上記支持筒の上部円筒体を、上記環状体に螺着した状態で環状体の上端から軸線方向に所定距離上方へ突出させておくことにより、この突出部分を摘んで支持筒を回すことにより、支持筒を環状体から容易に外すことができる。
【００２８】
本願第３の発明によれば、上ろくろが、支柱の上ろくろ位置決め穴に係入し得る係合突起を内周面に備えた円筒状の、支柱に対する係合部を有し、上記係合突起を支柱の上ろくろ位置決め穴に係入させた態様で支柱に嵌装された上ろくろが、その係合部の外周面に着脱可能に上方から被冠される上ろくろ固定部材により支柱に固定されるように構成されているので、支柱に対する上ろくろの取付け、取外しが容易であり、特に、上ろくろの係合部が、支柱の軸線と平行な方向に延びるヒンジ線を有するヒンジ部を介して互いに連結された一対の半円筒体からなり、これら一対の半円筒体が上記ヒンジ線に沿って折り曲げられて円筒状に形成されるように構成され、さらに、上ろくろ固定部材が、上記係合部の外周面に螺着されるものである場合には、支柱に対する上ろくろの取付け、取外しが極めて容易となる。
【００２９】
特に、受け骨の場合と同様に、親骨の根元部の両側に枢軸となる突軸を形成し、親骨枢支部に、親骨収容溝とほぼ直交する突軸枢支溝を親骨収容溝とともに親骨枢支部の上面に開口する態様で形成し、親骨の根元部を親骨収容溝内に収容した後に、上記係合部に対するカラー部材およびシートを介した石突きの螺着により、親骨収容溝および突軸枢支溝が上記カラー部材にて蓋をされるように構成することにより、上ろくろに対する石突きの取付けによって、支柱に対する上ろくろの固定と、上ろくろに対する親骨の根元部の枢支とを同時に行なうことができ、さらに、上ろくろからの石突きの取外しにより、上ろくろからの親骨の根元部の取外しと、支柱からの上ろくろの取外しとを同時に行なうことができる利点がある。
【００３０】
さらに、支柱に固定された上ろくろの下面に近接した位置に、支柱の外周面から突出する取外し可能な上ろくろ係止部材が取り付けられていることにより、廃棄時の分解に際して、傘が閉じている状態で支柱に対する上ろくろの係合状態を解除した場合であっても、上ろくろが急激に手元側に引き寄せられる態様で傘が急激に開いてしまうことを防止することができる。そして、傘が開いている状態で上ろくろと支柱との係合状態を解除し、かつ親骨を上ろくろから取り外した後は、中ろくろおよび下ろくろを支柱から抜き去るときの障害にならないように、この上ろくろ係止部材を支柱から取り外せばよい。
【発明を実施するための最良の形態】
【００３１】
以下、図面を参照して本発明の好ましい実施の形態について詳細に説明する。
【００３２】
図１は、本発明による自動開き傘の一実施形態の開状態における全体構成を、一部を省略して示す概略図である。
【００３３】
図１において、この自動開き傘１は、金属製の支柱２と、この支柱２の先端部に嵌装固定された樹脂製の上ろくろ３と、この上ろくろ３に根元部を枢着された複数の金属製親骨４と、これら親骨４に沿って張架された布製または樹脂製シートＳと、支柱２に摺動自在に嵌装された樹脂製の中ろくろ６と、この中ろくろ６に根元部を枢着されかつ先端部を親骨４の中間部の点Ｐにおいて枢着された複数の金属製受け骨８と、中ろくろ６の下方において支柱２に摺動自在に嵌装された樹脂製の下ろくろ１０と、この下ろくろ１０に根元部を枢着されかつ先端部を受け骨８の中間部の点Ｑにおいて枢着された細く短い複数の金属製支え骨１２と、中ろくろ６と下ろくろ１０との間に縮装された金属製コイルスプリング１４と、支柱２の根元部に固定された樹脂製の手元１６とを備えている。
【００３４】
また、この自動開き傘１の閉状態において、中ろくろ６と下ろくろ１０との間に圧縮されたコイルスプリング１４の付勢力に抗して、下ろくろ１０を手元１６に近接した位置に係止するための金属製留め金１８が、支柱２の外周面から突出する方向にばね付勢された態様で支柱２に出没自在に設けられている。そして、この留め金１８を支柱２内に没入させて下ろくろ１０の係止を解除し、傘１をコイルスプリング１４の弾発力で開かせるための押しボタン２０が支柱２の手元１６に近接した位置に設けられている。
【００３５】
さらに、支柱２の先端には樹脂製の石突き２２が、後述するように樹脂製カラー部材２３およびシートＳを介して上ろくろ３に螺着された態様で設けられ、また、上ろくろ３と中ろくろ６との間の支柱部分には、円筒状の樹脂製ストッパ２４とゴム製クッションリング２６とが嵌装されて、傘１が開いたときの衝撃を緩和するとともに、支柱２上の中ろくろ６の位置を規定している。ストッパ２４の外周にはその上端から軸線に方向に切り込まれたスリットが形成され、このスリットから、支柱２に取り付けられた上ろくろ係止ピン２７が露出している（図１７参照）。
【００３６】
図２は、支柱２の正面図を示し、支柱２の外表面に対し出没自在に設けられた上述した留め金１８および押しボタン取付け用突起１９ａを一体に備えた金属製部材１９（図３参照）を支柱２の外周面に臨ませるスリット２１を備えていることに加えて、手元１６側には手元位置決め穴２５が形成され、石突き２２側には、上ろくろ位置決め穴２８と、上ろくろ係止ピン２７を突出させるスリット２９とが形成されている。
【００３７】
図３は、傘１の閉状態において支柱２に係止された樹脂製の下ろくろ１０を、樹脂製の中ろくろ６および手元１６とともに示す断面図である。樹脂製の押ボタン２０は、例えばこれを強く上方へ捻ることによって、押しボタン取付け用突起１９ａから取り外せるように構成されている。留め金１８および押しボタン取付け用突起１９ａを一体に備えた金属製部材１９は、留め金１８に関してボタン取付け用突起１９ａ側とは反対側において支柱２内に延びるスプリング部１９ｂを備え、このスプリング部１９ｂの作用で、留め金１８およびボタン取付け用突起１９ａが支柱２の外周面から突出する方向にばね付勢されている。
【００３８】
図４（ａ）〜（ｃ）に平面図、断面図および底面図を示す下ろくろ１０は、上端にフランジ状の支え骨枢支部３０を備えた環状体９と、この環状体９の内周に下方から螺着されるスプリング収容筒１１と、枢支リング１３とからなり、図５（ａ）〜（ｃ）に平面図、断面図および底面図で示すように、螺着強度確保のための角ねじからなる雌ねじ３１を内周に備えた環状体９は、その支え骨枢支部３０の周縁に、複数の支え骨収容溝３２を放射状に備え、下面には、図７に示すような金属製枢支リング１３を取外し可能に嵌着させる溝３４を、すべての支え骨収容溝３２と交差する態様で同軸的に備えている。
【００３９】
図６に断面図で示すスプリング収容筒１１は、図３に示すように、中ろくろ６の下部円筒体４６（図１５参照）に巻装されたコイルスプリング１４を収容するための上方に開口する空洞３３を内部に備え、上部外周には、環状体９の内周の雌ねじ３１に下方から螺装される角ねじからなる雄ねじ３５を備え、下部には支柱２に摺動自在に嵌装される小径円筒部３６が連接されている。そして、空洞３３の下端には、コイルスプリング１４の下端を受ける段部１１ａが小径円筒部３６との境界部に形成されている。また、小径円筒部３６の中間部には、図３に示すように留め金１８を側方へ突出させるための軸線方向に延びるスリット３７が形成されている。
【００４０】
支え骨枢支部３０の下面の溝３４に嵌着される枢支リング１３は、図７（ａ）の平面図および図７（ｂ）の支え骨１２の根元部１２ａとともに示す断面図から明らかなように、継ぎ目のないリング状の金属製スプリングであることが好ましいが、図８（ａ），（ｂ）に示すように、両端を重ね合わせたリング状スプリング１３′であってもよい。
【００４１】
上記のような構成を有する環状体９にスプリング収容筒１１が下方から螺着され、かつ支え骨枢支部３０の下面の溝３４に枢支リング１３が嵌着されて構成された下ろくろ１０の上記支え骨枢支部３０に対し、図９（ａ），（ｂ）に示すように、鉤状、例えばＵ字状に形成された支え骨１２の根元部１２ａを支え骨収容溝３２内において枢支リング１３に引っ掛けるだけで支え骨１２の根元部１２ａがそのＵ字の底部分において枢支リング１３に取外し可能に枢支される。これは、コイルスプリング１４の付勢力に基づいて、中ろくろ６および受け骨８を介して支え骨１２を先端側に引っ張る力が常に支え骨１２に対して作用しているからである。
【００４２】
このように、下ろくろ１０の支え骨枢支部の支え骨収容溝３２すべてに臨むように支え骨枢支部の下面に嵌着された枢支リング１３に、Ｕ字状に形成された支え骨１２の根元部１２ａを引っ掛けるだけで支え骨１２の根元部１２ａを外れるおそれなしに下ろくろ１０に枢支させることができので、下ろくろ１０に対する支え骨１２の根元部１２ａの取付け、取外しが極めて容易であり、枢支リング１３が支え骨枢支部から取外し可能であることと相俟って、金属製部材と樹脂製部材との分別廃棄が容易になる。
【００４３】
図１０（ａ），（ｂ）は、図４に示した下ろくろ１０とは構成を異にする別の下ろくろ１０′を示し、図１０（ａ）は平面図、図１０（ｂ）は、図１０（ａ）のｂ−ｂ線に沿った断面図である。この下ろくろ１０′は、図１１（ａ）〜（ｃ）に示すような、周縁に複数の支え骨収容溝３２を供えた支え骨枢支部３０を備えた環状体９′に対し、図１２（ａ）〜（ｃ）に示すような、周縁に複数の支え骨収容溝３２を備えたフランジ３８を有するスプリング収容筒１１′が上方から嵌着されるように構成されており、環状体９′は図５に示す環状体９よりもフランジ３８の厚さ分だけ軸線方向寸法が短く形成されている。また、このフランジ３８の下面には、その支え骨収容溝３２の位置を環状体９′の支え骨収容溝３２に合致させるための位置決め用の突起３９，３９が形成され、これに対応して、環状体９′の上面には、上記突起３９，３９が係入する凹み４０，４０が形成されている。それ以外の部分については、図４に示した下ろくろ１０と同様の構成を有するので、同一部分には同一の符号を付して、重複する説明は省略する。
【００４４】
さらに図１３（ａ），（ｂ）は、スプリング収容筒１１″の上端に支え骨枢支部３０が一体に設けられた構成を有する下ろくろ１０″の平面図および断面図を示す。
【００４５】
次に、受け骨８の根元部を枢支する中ろくろ６について説明する。この中ろくろ６は、図１４に拡大して示すような受け骨枢支部を構成する樹脂製の環状体４１と、この環状体４１に螺着される、図１５に同じく拡大して示すような樹脂製の支持筒４２とから構成されている。
【００４６】
図１４（ａ）〜（ｃ）に平面図、断面図および底面図で示す環状体４１は、内周に雌ねじ４２を備えるとともに、その周縁に、上下に貫通する複数の受け骨収容溝４３を放射状に備えている。また、環状体４１に下面には、受け骨８の根元部の両側に設けられた後述する枢軸となる突軸５０（図１６参照）を受ける突軸枢支溝４４が開口している。これら突軸枢支溝４４は、各受け骨収容溝４３の両側に亘って各受け骨収容溝４３と直交するように、環状体４１の下面から所定の深さに形成されている。
【００４７】
支柱２に摺動自在に嵌着される支持筒４２は、図１５（ａ），（ｂ）に平面図および正面図で示すように、コイルスプリング１４が外周面上に巻装されるスプリング巻装部を構成する下部円筒体４６と、この下部円筒体４６の上端に設けられてその下面でコイルスプリング１４の上端を受けるフランジ４７と、このフランジ４７から上方へ延びる上部円筒体４８とを同軸的にかつ一体に備え、上部円筒体４８の根元部の外周には雄ねじ４９が形成されている。
【００４８】
図１６（ａ）は、受け骨８の根元部を示す底面図で、この根元部８ａは、環状体４１の受け骨収容溝４３内に挿入可能なように平に潰されて、そこに枢軸となる突軸５０が取り付けられている。この突軸５０としては、例えば市販の円筒状鳩目金具を、受け骨８の根元部８ａに形成された孔に挿入して根元部８ａの両側に突出させ、かつその両端をフランジ状に潰して抜止めとしたものを用いることができる。
【００４９】
そして、突軸５０を備えた全ての受け骨８の根元部８ａを、図１６（ｂ）に示すように環状体４１の下面に開口する受け骨収容溝４３および突軸枢支溝４４に取り付けた後、支持筒４２の上部円筒体４８を環状体４１の内周に下面側から挿入して、その雄ねじ４９を環状体４１の内周の雌ねじ４２に螺着し、かつ図１６（ｃ）に示すように、受け骨収容溝４３および突軸枢支溝４４を支持筒４２のフランジ４７の上面で蓋をすることによって、受け骨８の根元部８ａが中ろくろ６に枢支される。
【００５０】
支持筒４２の上部円筒体４８は、環状体４１に螺着された状態で、環状体４１の上端から軸線に方向に所定距離（例えば２ｃｍ程度）上方に突出しており、この突出部分は、この自動開き傘１の分解時に、この突出部分を摘んで支持筒４２を回すことにより螺着状態を解除するのに便利なように設けられてものである。
【００５１】
このように、支持筒４２を回して環状体４１から取り外すことにより、受け骨８の根元部８ａを直ちに環状体４１から下方へ取り外すことができ、金属製部材と樹脂製部材との分別廃棄が容易になる。
【００５２】
次の図１７は、傘１の閉状態において支柱２の先端部に取外し可能に固定されている上ろくろ３を、石突き２２、ストッパ２６等ともに示す断面図である。
【００５３】
支柱２に挿通固定される上ろくろ３は、図１８（ａ）〜（ｃ）に拡大して示すように、フランジ状の親骨枢支部５１と、この親骨枢支部５１の上部に同軸的に一体に連接された、支柱２に対する係合部５２とから構成されている。
【００５４】
親骨枢支部５１は、その周縁に、上下に貫通する複数の親骨収容溝５３を放射状に備え、その上面には、親骨８の根元部の両側に設けられた、前記した受け骨８の突軸５０（図１６参照）と同様の突軸を受ける突軸枢支溝５４が開口している。これら突軸枢支溝５４は、中ろくろ６の場合と同様に、各受け骨収容溝５３と直交するように各受け骨収容溝５３の両側において、親骨枢支部５１の上面から所定の深さに形成されている。したがって、親骨８の根元部は、親骨枢支部５１の上面側から、図１６（ｂ）と同様に親骨収容溝５３および突軸枢支溝５４に取り付けられるように構成されている。
【００５５】
上ろくろ３の支柱２に対する係合部５２は、図１９（ａ），（ｂ）に示すように、一対の半円筒体５６，５７からなり、一方の半円筒体５６は親骨枢支部５１に一体に固定され、他方の半円筒体５７は、支柱２の軸線と平行な方向に延びるヒンジ線Ｌを有するヒンジ部５８を介して半円筒体５６に連結されており、半円筒体５７が上記ヒンジ線Ｌに沿って内側に折り曲げられて、図１８（ａ），（ｂ）に示すように、円筒状の係合部５２が形成される。折り曲げられる側の半円筒体５７の内周面には、支柱２に形成された上ろくろ位置決め穴２８（図２）に係入される係合突起５９が形成されている。また、係合部５２の外周面には雄ねじ５２ａが形成されている。
【００５６】
このような構成を有する上ろくろ３は、支柱２に対し半円筒体５７を開いた状態で上方から挿入され、半円筒体５７を閉じて係合突起５９を支柱２の上ろくろ位置決め穴２８に係入させて支柱２上に位置決めし、図２０に示すように、親骨枢支部５１の上面に開口する親骨収容溝５３および突軸枢支溝５４に対し、突軸を備えた全ての親骨４の根元部４ａを上方から取り付けた後、係合部５２にカラー部材２３を遊嵌し、さらにシートＳを被せ、内周下端部に雌ねじ２２ａを備えた石突き２２を支柱２の上端に挿入して、上ろくろ３の係合部５２の雄ねじ５２ａに螺着することによって、親骨枢支部５１の上面がカラー部材２３によって蓋をされて、親骨４の根元部４ａが上ろくろ３に枢支されるとともに、上ろくろ３が支柱２に対し強固にかつ取外し可能に固定される。
【００５７】
このように、上ろくろ３に対する石突き２２の取付けによって、支柱２に対する上ろくろ３の固定と、上ろくろ３に対する親骨４の根元部の枢支とを同時に行なうことができ、さらに、上ろくろ３からの石突き２２の取外しにより、上ろくろ３からの親骨４の根元部の取外しと、支柱２からの上ろくろ３の取外しとを同時に行なうことができるので、傘の組立て作業と、金属製部材と樹脂製部材との分別廃棄作業とが極めて容易になる利点がある。
【００５８】
ところで、この自動開き傘１は、前述したように、傘１が閉じている状態では、留め金１８によって支柱２に係止されている下ろくろ１０と中ろくろ６との間で圧縮された状態にあるコイルスプリング１４の付勢力が中ろくろ６から受け骨８を介して親骨４に伝達され、親骨４には常に開方向の力が作用している。したがって、廃棄時の分解に際して、万一傘１が閉じている状態で支柱２に対する上ろくろ３の係合状態を解除した場合には、コイルスプリング１４の弾発力で上ろくろ３が急激に手元側に引き寄せられる態様で傘１が急激に開いてしまって危険を伴うおそれがある。
【００５９】
そこで、図１７から明らかなように、支柱２の表面には取外し可能な上ろくろ係止ピン２７が、支柱２に固定された上ろくろ３の下面に近接した位置に突出しており、そのような予期しない事態の発生を防止している。そして、傘が開いている状態で上ろくろ３と支柱２との係合状態を解除し、かつ親骨４を上ろくろ３から取り外した後は、中ろくろ６および下ろくろ１０を支柱２から抜き去るときの障害にならないように、この上ろくろ係止ピン２７を支柱２から取り外せばよい。
【００６０】
図２１は，図３に示した手元１６の分解正面図である。この手元１６は、樹脂製の手元本体６１と、この手元本体６１を支柱２に取外し可能に固定するための同じく樹脂製の円筒状の手元固定部材６２とからなる。手元本体６１は、Ｕ字状の把手部６３と、この把手６３の上端に一体に連接された、外周に雄ねじ６４を備えた短い円筒部６４と、この円筒部６４の上端から同軸的に上方に延びる、支柱２に対する係合部６５とから構成されている。
【００６１】
係合部６５は、上述した上ろくろ係合部５２とほぼ同様の構成を有するもので、図２２（ａ），（ｂ）に示すように一対の半円筒体６６，６７からなり、一方の半円筒体６６は把手部６３に一体に固定され、他方の半円筒体６７は、支柱２の軸線と平行な方向に延びるヒンジ線を有するヒンジ部６８を介して半円筒体６６に連結されており、半円筒体６７が上記ヒンジ線に沿って内側に折り曲げられて、図２１に示すように、円筒状の係合部６５が形成される。折り曲げられる側の半円筒体６７の内周面には、支柱２に形成された手元位置決め穴２５（図２）に係入される係合突起６９が形成されている。
【００６２】
このような構成を有する手元本体６１は、半円筒体６７を開いた状態で支柱２に下方から挿入され、半円筒体６７を閉じて係合突起６９を支柱２の手元位置決め穴２５に係入させて支柱２に位置決めし、予め支柱２に挿入しておいた、内周面に雌ねじ６２ａを備えた手元固定部材６２を手元本体６１の円筒部６４に螺着することによって、手元本体６１が支柱２に対し強固にかつ取外し可能に固定される。
【００６３】
次に、上述のような構成を有する自動開き傘１の、廃棄に際しての好ましい分解手順について説明する。
【００６４】
（１）先ず傘１が開いている状態で、石突き２２を回して上ろくろ３の支柱２に対する円筒状の係合部５２との螺合状態を解除して石突き２２を支柱から抜き取り、次いでシートＳを親骨４から取り外し、さらにカラー部材２３を支柱２から抜き取り、係合部５２と、上ろくろ３の親骨枢支部５１の上面と、親骨４の根元部４ａとを露出させる。
【００６５】
（２）すべての親骨４の根元部４ａを親骨枢支部５１から上方へ取り外し、上ろくろ３の支柱２に対する係合部５２の半円筒体５７を開き、その係合突起５９を支柱２の上ろくろ位置決め穴２８から抜き、上ろくろ３を支柱２から上方へ抜き取る。
【００６６】
（３）上ろくろ係止ピン２７を支柱２から側方へ抜き取り、ストッパ２４およびクッションゴム２６を支柱２から上方へ抜き取る。
【００６７】
（４）中ろくろ６の支持筒４２の上部円筒体４８を摘んで回し、環状体４１との螺合状態を解除し、かつ環状体４１を若干上方へ摺動させて、環状体４１の下面と受け骨８の根元部８ａとを露出させる。
【００６８】
（５）すべての受け骨８の根元部８ａを環状体４１から下方へ取り外し、次いですべての支え骨１２の根元部１２ａを、下ろくろ１０の支え骨枢支部３０が備えている枢支リング１３から取り外す。
【００６９】
（６）中ろくろ６、コイルスプリング１４およびを支柱２から上方へ抜き取る。下ろくろ１０からは枢支リング１３を取り外す。
【００７０】
（７）押しボタン取付け用突起１９から押ボタン２０を取り外す。
【００７１】
（８）手元１６の手元固定部材６２を回して手元本体６３との螺合状態を解除し、留め金１８を支柱２内に押し入れて、手元固定部材６２を支柱２に沿って上方へ摺動させて、手元本体６３の支柱２に対する係合部６５を露出させる。
【００７２】
（９）手元本体６３の支柱２に対する係合部６５の半円筒体６７を開き、その係合突起６９を支柱２の手元位置決め穴２５から抜き、手元本体６３を支柱２から下方へ抜き取る。
【００７３】
このようにして、金属製部材と樹脂製部材とが容易かつ安全に分離され、完全な分別廃棄を可能にする。
【図面の簡単な説明】
【００７４】
【図１】本発明による自動開き傘の一実施形態の開状態における全体構成を、一部を省略して示す概略図である。
【図２】図１に示す自動開き傘に使用される支柱の正面図である。
【図３】図１に示す自動開き傘の閉状態において支柱に係止された下ろくろを下ろくろおよび手元とともに示す断面図である。
【図４】図４（ａ）〜（ｃ）は下ろくろの平面図、断面図および底面図である。
【図５】図５（ａ）〜（ｃ）は図４の下ろくろが有する支え骨枢支部を備えた環状体の平面図、断面図および底面図である。
【図６】図４の下ろくろが有するスプリング収容筒の断面図である。
【図７】図７（ａ）,（ｂ）は支え骨の根元部を枢支する枢支リングの平面図および支え骨の根元部とともに示す断面図である。
【図８】図８（ａ）,（ｂ）は枢支リングの変形を示す平面図および正面図である。
【図９】図８（ａ）,（ｂ）は支え骨の根元部が下ろくろに枢支された状態を示す平面図および断面図である。
【図１０】図１０（ａ）,（ｂ）は下ろくろの他の実施の形態の平面図および断面図である。
【図１１】図１１（ａ）〜（ｃ）は図１０の下ろくろが有する支え骨枢支部を備えた環状体の平面図、断面図および底面図である。
【図１２】図１２（ａ）〜（ｃ）は図１０の下ろくろが有するスプリング収容筒の平面図、断面図および底面図である。
【図１３】図１３（ａ）,（ｂ）は下ろくろのさらに他の実施の形態の平面図および断面図である。
【図１４】図１４（ａ）〜（ｃ）は中ろくろの受け骨枢支部を構成する環状体の平面図、断面図および底面図である。
【図１５】図１５（ａ），（ｂ）は中ろくろの支持筒の平面図および正面図である。
【図１６】図１６（ａ）は受け骨の根元部の底面図、図１６（ｂ）は受け骨の根元部が図１４の環状体の受け骨収容溝に収容された状態を示す底面図である。
【図１７】図１に示す自動開き傘の閉状態において支柱の先端部に取外し可能に固定されている上ろくろを、石突き、ストッパ等ともに示す断面図である。
【図１８】図１８（ａ）〜（ｃ）は上ろくろの平面図、断面図および底面図である。
【図１９】図１９（ａ）,（ｂ）は図１８の上ろくろの支柱に対する係合部を開いた状態の平面図および正面図である。
【図２０】一部を断面とした上ろくろおよび石突きの分解正面図である。
【図２１】図３に示す手元の分解正面図である。
【図２２】図２２（ａ）,（ｂ）は図２１の手元の支柱に対する係合部を開いた状態の平面図および正面図である。
【符号の説明】
【００７５】
１    自動開き傘
２    支柱
３    上ろくろ
４    親骨
６    中ろくろ
８    受け骨
１０    下ろくろ
１２    支え骨
１３    枢支リング
１４    コイルスプリング
１６    手元
２０    押しボタン
２２    石突き
【図１】
2006325899.tif 000003
【図２】
2006325899.tif 000004
【図３】
2006325899.tif 000005
【図４】
2006325899.tif 000006
【図５】
2006325899.tif 000007
【図６】
2006325899.tif 000008
【図７】
2006325899.tif 000009
【図８】
2006325899.tif 000010
【図９】
2006325899.tif 000011
【図１０】
2006325899.tif 000012
【図１１】
2006325899.tif 000013
【図１２】
2006325899.tif 000014
【図１３】
2006325899.tif 000015
【図１４】
2006325899.tif 000016
【図１５】
2006325899.tif 000017
【図１６】
2006325899.tif 000018
【図１７】
2006325899.tif 000019
【図１８】
2006325899.tif 000020
【図１９】
2006325899.tif 000021
【図２０】
2006325899.tif 000022
【図２１】
2006325899.tif 000023
【図２２】
2006325899.tif 000024